(57)【要約】  生成物を家禽（ｆｏｗｌ）に注射するための注射器、注射システム、および方法であって、注射器が、保持部材に少なくとも１つの孔が形成されている保持部材と、保持部材を支持する保持部材支持面と、および孔を通って移動可能である注射針と、を含む。注射針の長手方向軸および保持部材支持面に垂直な軸が、１５°〜４５°の頂角αを形成する。【選択図】図２
2021526904.tif 000002
【特許請求の範囲】
【請求項１】
家禽（ｆｏｗｌ）に生成物を注射するためのデバイスであって、
保持部材であって、前記保持部材に少なくとも１つの孔が形成されている、保持部材と、
前記保持部材を支持する保持部材支持面と、
前記孔を通って移動可能である注射針と、を備え、
前記注射針の長手方向軸および前記保持部材支持面に垂直な軸が、１５°〜４５°の頂角αを形成する、デバイス。
【請求項２】
前記保持部材が、注射針が移動可能である通路を各々が形成する２つの孔を有する、請求項１に記載のデバイス。
【請求項３】
前記デバイスが、１３０ｍｍ〜１９０ｍｍの高さを有する基部をさらに備える、請求項１または２に記載のデバイス。
【請求項４】
前記保持部材が、前記保持部材支持面上に取り外し可能に装着されている、請求項１〜３のいずれかに記載のデバイス。
【請求項５】
前記注射針を駆動するための手段をさらに備える、請求項１〜４のいずれかに記載のデバイス。
【請求項６】
前記注射針の長さが、８ｍｍ〜２０ｍｍである、請求項１〜５のいずれかに記載のデバイス。
【請求項７】
前記駆動手段にアクセスするための後部ハッチを有するケーシングをさらに備える、請求項１〜６のいずれかに記載のデバイス。
【請求項８】
前記注射針の前記長手方向軸および前記保持部材支持面に垂直な前記軸が、２５°〜３５°の頂角αを形成する、請求項１〜７のいずれかに記載のデバイス。
【請求項９】
前記注射針の前記長手方向軸および前記保持部材支持面に垂直な前記軸が、２８°〜３２°の頂角αを形成する、請求項１〜８のいずれかに記載のデバイス。
【請求項１０】
前記注射針の前記長手方向軸および前記保持部材支持面に垂直な前記軸が、２９°〜３１°の頂角αを形成する、請求項１〜９のいずれかに記載のデバイス。
【請求項１１】
前記注射針の前記長手方向軸および前記保持部材支持面に垂直な前記軸が、３０°の頂角αを形成する、請求項１〜１０のいずれかに記載のデバイス。
【請求項１２】
前記保持部材支持面３が、地面に垂直な線に対して５°〜４５°の角度γを形成する、請求項１〜１１のいずれかに記載のデバイス。
【請求項１３】
前記デバイスが、２本の注射針を有する、請求項１から１２のいずれかに記載のデバイス。
【請求項１４】
前記２本の注射針の前記長手方向軸が、互いに１５°〜２５°の水平角βを形成する、請求項１３に記載のデバイス。
【請求項１５】
前記２本の注射針の前記長手方向軸が、互いに２０°〜２５°の水平角βを形成する、請求項１３〜１４のいずれかに記載のデバイス。
【請求項１６】
前記２本の注射針の前記長手方向軸が、互いに１８°〜２２°の水平角βを形成する、請求項１３〜１５のいずれかに記載のデバイス。
【請求項１７】
前記２本の注射針の前記長手方向軸が、互いに２０°の水平角βを形成する、請求項１３〜１６のいずれかに記載のデバイス。
【請求項１８】
家禽（ｆｏｗｌ）に生成物を注射するための方法であって、
前記家禽（ｆｏｗｌ）を掴むことと、
前記家禽（ｆｏｗｌ）をデバイス上に配置することと、
前記デバイスに対してこのように配置された前記家禽（ｆｏｗｌ）を押し付けることと、および
前記家禽（ｆｏｗｌ）内に生成物を注射することと、を含み、
前記デバイスが、保持部材であって、前記保持部材に少なくとも１つの孔が形成されている、保持部材と、保持部材支持面と、前記孔を通って移動可能である注射針と、を備え、
前記注射針の長手方向軸および前記保持部材支持面に垂直な軸が、１５°から〜４５°の間の頂角αを形成する、方法。
【請求項１９】
前記保持部材が、注射針が移動可能である通路を各々が形成する２つの孔を有する、請求項１８に記載の方法。
【請求項２０】
前記デバイスが、１３０ｍｍ〜１９０ｍｍの高さを有する基部をさらに備える、請求項１８または１９に記載の方法。
【請求項２１】
前記保持部材が、前記保持部材支持面上に取り外し可能に装着されている、請求項１８〜２０のいずれかに記載の方法。
【請求項２２】
前記デバイスが、前記注射針を駆動するための手段をさらに備える、請求項１８〜２１のいずれかに記載の方法。
【請求項２３】
前記注射針の長さが、８ｍｍ〜２０ｍｍである、請求項１８〜２２のいずれかに記載の方法。
【請求項２４】
前記デバイスが、前記駆動手段にアクセスするための後部ハッチを有するケーシングをさらに備える、請求項１８〜２３のいずれかに記載の方法。
【請求項２５】
前記注射の時間が、０．２５秒〜０．５秒である、請求項１８〜２４のいずれかに記載の方法。
【請求項２６】
前記注射針の前記長手方向軸および前記保持部材支持面に垂直な前記軸が、２５°〜３５°の頂角αを形成する、請求項１８〜２５のいずれかに記載の方法。
【請求項２７】
前記注射針の前記長手方向軸および前記保持部材支持面に垂直な前記軸が、２８°〜３２°の頂角αを形成する、請求項１８〜２６のいずれかに記載の方法。
【請求項２８】
前記注射針の前記長手方向軸および前記保持部材支持面に垂直な前記軸が、２９°〜３１°の頂角αを形成する、請求項１８〜２７のいずれかに記載の方法。
【請求項２９】
前記注射針の前記長手方向軸および前記保持部材支持面に垂直な前記軸が、３０°の頂角αを形成する、請求項１８〜２８のいずれかに記載の方法。
【請求項３０】
前記デバイスが、２本の注射針を有する、請求項１８〜２９のいずれかに記載の方法。
【請求項３１】
前記２本の注射針の前記長手方向軸が、互いに１５°〜２５°の水平角βを形成する、請求項３０に記載の方法。
【請求項３２】
前記２本の注射針の前記長手方向軸が、互いに２０°〜２５°の水平角βを形成する、請求項３０または３１に記載の方法。
【請求項３３】
前記２本の注射針の前記長手方向軸が、互いに１８°〜２２°の水平角βを形成する、請求項３０〜３２のいずれかに記載の方法。
【請求項３４】
前記２本の注射針の前記長手方向軸が、互いに２０°の水平角βを形成する、請求項３０〜３３のいずれかに記載の方法。
【発明の詳細な説明】
【技術分野】
【０００１】
本開示は、家禽（ｆｏｗｌ）を掴んで、標的筋肉内に注射するために、保持部材に形成された孔を通って移動可能な針を使用して、筋肉内注射によって家禽（ｐｏｕｌｔｒｙ）または家禽（ｆｏｗｌ）内に動物用生成物を注射するための動物用診療補助デバイスに関する。
【０００２】
本発明はまた、これらのデバイスを使用して、家禽（ｐｏｕｌｔｒｙ）に注射および／またはワクチン接種するためのプロセスおよび方法に関する。
【背景技術】
【０００３】
養鶏の分野において、動物用生成物、特にワクチンを家禽（ｐｏｕｌｔｒｙ）に注射するのが、因習的である。従来技術は、動物用生成物の注射を補助するためのデバイスを提案している。特に、ＵＳ２０１１／００５４４０１Ａ１（その主題は、参照によりその全体が本明細書に組み込まれる）は、特に大胸筋を標的とする、筋肉内注射によって家禽（ｆｏｗｌ）に動物用生成物を注射するためのデバイスを記載している。注射は、家禽（ｆｏｗｌ）の体の中で探知可能な形状を有する骨の付近の筋肉の領域において実行されることができる。このデバイスは、探知可能な骨を補強するための手段を備えた保持部材と、保持部材に形成された孔と、注射針とを含み、針は、孔を通って移動可能である。このデバイスにおいて、保持部材は、家禽（ｆｏｗｌ）の体に一致しており、家禽（ｆｏｗｌ）を支えるための構造を提供する、解剖学的形状であって、筋肉で体のための支え面を含む、解剖学的形状と、家禽（ｆｏｗｌ）によって作動されるようになっており、解剖学的形状上に提供されている、少なくとも１つが支え面上にあり、孔（複数可）がセンサー間に提供されている、少なくとも２つの接触センサーと、を有する。
【０００４】
ＵＳ２０１１／００５４４０１Ａ１は、保持部材の構造、特に家禽（ｆｏｗｌ）の満足のいく一般的な位置を得る型の解剖学的形状、正確な活性化のためのセンサー、およびデバイス内で家禽（ｆｏｗｌ）を正しく提示するための支え手段に焦点を当てている。
【０００５】
しかしながら、この文献は、注射後のワクチン逆流の発生率を最小限に抑えることの構造および／または方法については言及していない。ワクチン逆流は、筋肉内に注射針の挿入した後、注射チャネルが筋肉内に形成された後に、発生することができる。ワクチンが筋肉の標的領域に留まらない場合、ワクチン逆流は、ワクチン反応の有効性を低下させる。さらに、ワクチンは、標的筋肉を取り巻く組織において非常に積極的に作用して、周囲の組織に損傷を与えることができる。これらの理由のため、ワクチン逆流は、可能な限り最小限に抑えるべきである。
【０００６】
ＵＳ２０１１／００５４４０１Ａ１は、ワクチン注射の位置ずれを最小限に抑える構造および／または方法についても言及していない。
【０００７】
したがって、効果的なワクチン接種を確実にするために、ワクチン逆流およびワクチン位置ずれの発生率を最小限に抑えることができる、動物用生成物、特に家禽（ｆｏｗｌ）の体内に筋肉内ワクチンを注射するためのデバイスおよび方法を有することが望ましいであろう。
【発明の概要】
【０００８】
本発明の１つの目的は、先行技術の欠点を改善することである。より具体的には、本発明の１つの目的は、家禽（ｆｏｗｌ）の体内に動物用生成物の筋肉内注射を投与するためのデバイスを提供することであり、ワクチン逆流の発生率を最小化し、標的領域内のヒット率を増加させることによって、実行される注射の品質を最大化することである。
【０００９】
この目的のために、本発明の一態様は、筋肉内注射によって家禽（ｆｏｗｌ）に動物用生成物を注射するためのデバイスに関係している。注射は、家禽（ｆｏｗｌ）の体、特に大胸筋の中で探知可能な形状を有する骨の付近における筋肉の領域で実行されることができる。このデバイスは、保持部材に少なくとも１つの孔が形成されている保持部材と、保持部材を支持する保持部材支持面と、および孔を通って移動可能である注射針と、を備える。保持部材は、家禽（ｆｏｗｌ）の体に一致する、空洞を含む解剖学的形状を備える。
【００１０】
好ましい実施形態によれば、注射針の長手方向軸および保持部材支持面に垂直である軸は、１５°〜４５°の頂角を形成する。
【００１１】
好ましい実施形態によれば、保持部材は、注射針が移動可能である通路を各々が形成する２つの孔を有する。
【００１２】
好ましい実施形態によれば、デバイスは、１３０ｍｍ〜１９０ｍｍ、または最も好ましくはまたは正確に１６０ｍｍの高さを有する基部をさらに有する。
【００１３】
好ましい実施形態によれば、保持部材は、注射針を駆動するための手段を含むケーシング上に取り外し可能に装着されている。
【００１４】
好ましい実施形態によれば、注射針の長さは、８ｍｍ〜２０ｍｍである。
【００１５】
好ましい実施形態によれば、ケーシングは、駆動手段にアクセスするための後部ハッチを有する。
【００１６】
好ましい実施形態によれば、デバイスは、２つの孔と、それぞれが孔を通って移動可能である２本の注射針とを備える。この実施形態において、各注射針の長手方向軸と保持部材支持面に垂直な軸との間の頂角は、１５°〜４５°であり、２本の注射針の長手方向軸は、互いに１５°〜２５°の水平角を形成する。
【００１７】
好ましい実施形態によれば、注射の時間は、０．２５秒〜０．５秒である。
【００１８】
本発明によるデバイスは、因習的な家禽（ｐｏｕｌｔｒｙ）、雌鶏、アヒル、七面鳥、ホロホロチョウ、ウズラ、ガチョウ、ハトまたはオウムなどのすべての種類の鳥の注射、ワクチン接種および／または治療に使用され得る。
【００１９】
本発明の他の特徴および利点は、例示的かつ非限定的な実施例として与えられた本発明の優先的な実施形態の以下の記載、および以下の添付の図面を読むことでより明確に明らかになるであろう。
【図面の簡単な説明】
【００２０】
【図１】保持部材側の既知のデバイスの斜視図である。
【図２】本発明によるデバイスの斜視図である。
【図３】本発明によるデバイスの断面図である。
【図４】本発明によるデバイスの、後部ハッチ側の斜視図である。
【発明を実施するための形態】
【００２１】
上記のように、本発明のシステムおよび方法は、家禽（ｆｏｗｌ）の胸骨に沿って延在する翼筋肉に、鳥類動物用生成物、特にワクチンを注射するためのデバイスに関する。
【００２２】
図１は、家禽（ｐｏｕｌｔｒｙ）に動物用生成物を注射するための既知のデバイスを示す。図１に示されるように、デバイス１は、ケーシング２の内側に備え付けられた構成要素へのアクセスを与える後部ハッチ６を含むケーシング２を備える。
【００２３】
デバイスの１つの特徴によれば、保持部材４は、保持部材支持面３上に取り外し可能に装着されている。図１における保持部材は、ＵＳ２０１１／５０４４０１Ａ１にさらに記載されているように、本発明で使用され得る。
【００２４】
図２および図３を参照して、本発明によるデバイスの斜視図および本発明によるデバイスの断面図が、各々記載される。
【００２５】
一実施形態によれば、保持部材４は、標的家禽（ｆｏｗｌ）の体のインプリント（ｉｍｐｒｉｎｔ）に従って特に製造された型を使用して、成形することによって製造された部品である。
【００２６】
図示のように、孔５は、保持部材４に形成され、孔５は、保持部材４の後部で、注射針７が非注射位置から注射位置に移動されることができる、通路を形成しており、針が孔を通って移動するか、またはその逆である。
【００２７】
さらなる特徴によれば、孔５は、針７の位置が、対応する孔５の長さによって調整されることができるような、長方形形状を有する。このようにして、保持部材４を修正または交換する必要なしに、鳥の体の標的領域に従って針７の位置を修正することが可能である。
【００２８】
図示のように、注射針７の長手方向軸Ｉは、孔５を通って移動可能である。軸Ｙは、保持部材支持面３によって形成される平面に垂直に形成される。針７の長手方向軸Ｉおよび軸Ｙは、１５°〜４５°、好ましくは２０°〜４０°の頂角αを形成する。より好ましい実施形態において、頂角αは、２５°〜３５°、２８°〜３２°、２９°〜３１°、または最も好ましくは、おおよそまたは正確に３０°である。筋肉内への１５°〜４５°、２５°〜３５°、２８°〜３２°、２９°〜３１°、または最も好ましくは、３０°の頂角αで、注射針で家禽（ｆｏｗｌ）を注射することは、頂角αが０°の場合とは異なる方法で筋肉内への注射チャネルを作成する。理論によって拘束されることはないが、家禽（ｆｏｗｌ）の筋肉繊維が特定の角度で注射針７によって斜めに穿孔されると、繊維は、注射後の筋肉の自然圧力活動力によって自動的に閉じられると考えられている。したがって、ワクチン逆流の発生率は、注射針が軸Ｙから０°の頂角αで長手方向軸を有するように配向されている、既知の注射デバイスと比較して最小化される。
【００２９】
角度αは、注射針の長手方向軸Ｉが軸Ｙの下に位置付けされるように示されているが、原則として、注射針の長手方向軸Ｉは、角度αを形成するＹ軸の上に配向されることもできる。
【００３０】
好ましい実施形態によれば、保持部材支持面３は、１３０ｍｍ〜１９０ｍｍ、好ましくは約１６０ｍｍの高さｈを有する基部９上に位置される。
【００３１】
本発明のいくつかの実施形態によるデバイスは、テーブルまたは他の持ち上げられた表面上に便利に配置され得る。鳥にワクチン接種するプロセスは、人が各鳥を保持部材４の中に手動で持ち上げることによって多数の反復運動を伴い得るため、高さｈが１３０ｍｍ〜１９０ｍｍの基部９を有することもまた、ユーザーにとって人間工学的に有益である。
【００３２】
保持部材支持面３はまた、図３に示すように、基部９に対し長手方向軸に関して角度γを形成する。角度γは、５°〜４５°、好ましくは１０°〜４０°、より好ましくは２０°〜３０°の範囲、最も好ましくは２５°であり得る。保持部材支持面３の角度γは、注射器効率を最大化すること、およびユーザーのための人間工学的理由のための両方に役立つ。
【００３３】
さらなる特徴によれば、注射針７の長さは、８ｍｍ〜２０ｍｍである。注射の深さは、針が胸骨を貫通しないように制御されなければならない。頂角αが修正される場合、注射の深さは、注射の角度における変化を補償するように、注射針７の長さを修正することによって、制御されることができる。
【００３４】
図４は、後部ハッチ側にある、本発明によるデバイスを示す。
【００３５】
好ましい実施形態によれば、デバイスは、注射針７が移動可能な通路を各々が形成する２つの孔５と、孔５の間に延在する支え手段とを有する。このようにして、デバイスは、動物用生成物の二重注射を可能にする。２つの孔５の存在は、本発明によるデバイスの使用が、２つの別個の生成物の注射、または同じ生成物の２回の注射を実行することを可能にすることに留意されたい。好ましくは、各針７は、家禽（ｆｏｗｌ）の筋肉の異なる場所における注射を作成する。このようにして、家禽（ｆｏｗｌ）への、および注射部位を取り巻く組織の外傷は、両方の針７が同じ場所におけるワクチンを注射するのと比較して、最小限に抑えられることができる。
【００３６】
好ましい実施形態によれば、２本の注射針７の長手方向軸Ｉ１およびＩ２は、互いに１５°〜２５°、好ましくは２０°〜２５°の水平角βを形成する。より好ましくは、水平角βは、１８°〜２２°であり、最も好ましくは、水平角βは、おおよそまたは正確に２０°である。動物用生成物、特に家禽（ｆｏｗｌ）の体内への筋肉内ワクチンの注射は、標的筋肉の近くに臓器または骨を注射することを避けるために正確に行われなければならないことに留意されたい。２本の注射針の間の水平角が大きすぎる場合、注射が胸骨に行われるリスクがある。２本の注射針の２本の長手方向軸によって形成される水平角が大きすぎる場合の別のリスクは、両方の針が鳥の同じ場所に注射することである。両方の状態は、望ましくなく、鳥に両方の外傷を引き起こし、ワクチンの有効性を低下させる。一方、水平角βが小さすぎる場合、ワクチンの逆流率が大幅に上昇し得る。したがって、水平角βを１５°〜２５°、好ましくは２０°〜２５°の制御は、胸骨に注射が行われるリスク、家禽（ｆｏｗｌ）にかかるストレス、およびワクチン逆流の発生率を最小限に抑える。
【００３７】
好ましい実施形態において、軸Ｙに関して１５°〜４５°の頂角αを形成し、また互いに対して１５°〜２５°の水平角βを形成する、長手方向軸Ｉ１およびＩ２を有する２本の注射針７が、使用される。針が２次元で斜めの角度に配向されることによって、逆流の発生は、家禽（ｆｏｗｌ）のサイズの最大範囲にわたって減少される。例えば、異なるサイズおよび種類の家禽（ｆｏｗｌ）は、ブリーダー、レイヤー、ブロイラーなど、同じ施設においてワクチン接種されることが、しばしば必要である。記載したように、針がαとβの両方で配向されることは、特に５°〜４５°の角度γで配向された保持支持部材面を有するデバイスで使用されるときに、特に効果的なアプローチであると考えられる。
【００３８】
図４に示されるように、デバイスは、各針７を並進させるための駆動手段８を特に含むケーシング２を備える。さらに、ケーシング２は、ケーシング２の内部に備え付けられた構成要素、特に駆動手段８へのアクセスを与える後部ハッチ６を有する。駆動手段８は、ケーシング２に取り外し可能に取り付けられたプレート１０に装着され得、プレート１０は、シリンジにアクセスできるように移動される必要がある。
【００３９】
さらに、駆動手段８は、長方形の孔５に関して針７の位置を修正するように、プレート１０上でその位置を修正し得る、支持部材の手段によってプレート１０上に取り付けられ得る。
【００４０】
針７の動きは、空気圧シリンダによって駆動され得る。シリンダおよび針７の動きは、所定の注射範囲を提供し、注射する筋肉のサイズおよび標的家禽（ｆｏｗｌ）に応じて、筋肉内の針の貫通距離を調整するように、自動的、電子的、プログラム可能な操作、または当業者に周知の他の任意の操作を備えた任意のシステムによって制御され得る。このデバイスは、自動コントローラによって制御されまる。自動コントローラは、デバイスが２回の注射または１回の注射を行うよう使用されるように、構成可能である。このようにして、あらゆる保守作業の範囲内で、ケーシング２の内部へのアクセスは、後部から得られ、これは、デバイスの前部に向けられた注射針７に対する技術者の負傷のリスクを制限する。
【００４１】
１つの特定の実施形態によれば、注射の時間は、０．２５秒〜０．５秒の間、好ましくは０．２５秒である。このようにして、特にレイヤーの場合に、ワクチン逆流の発生率を減らすことが可能である。
【００４２】
本発明のデバイスは、鳥インフルエンザ、特に様々な疾患、例えば、ニューカッスル病ウイルス（ＮＤＶ）、感染性嚢胞病（ＩＢＤ）、感染性気管支炎（ＩＢＶ）、鳥類インフルエンザ、マレック病、鳥類脳脊髄炎、鶏貧血ウイルス、産卵低下症候群、喉頭気管炎、レオウイルス感染症に対する不活化ワクチンの筋肉内注射に特に適している。
【００４３】
本発明はまた、家禽（ｆｏｗｌ）を掴むことと、家禽（ｆｏｗｌ）をデバイス１上に配置することと、およびデバイス１に対してこのように配置された家禽（ｆｏｗｌ）を押し付けることのステップを含む、家禽（ｐｏｕｌｔｒｙ）に注射および／またはワクチン接種するための方法に関する。デバイス１は、保持部材４に形成された孔５を備えた保持部材４と、保持部材支持面３と、および孔５を通って移動可能である注射針７とを含む。
【００４４】
１つの特定の実施形態によれば、注射針７の長手方向軸Ｉと、本方法で使用されるデバイスの保持部材支持面３に垂直な軸Ｙとは、１５°〜４５°、好ましくは２０°〜４０°の頂角を形成する。より好ましい方法において、頂角αは、２５°〜３５°、２８°〜３２°、２９°〜３１°、または最も好ましくは、おおよそまたは正確に３０°である。筋肉内への１５°〜４５°、２５°〜３５°、２８°〜３２°、２９°〜３１°、または最も好ましくは、おおよそまたは正確に３０°の頂角αで注射することは、頂角αが０°の場合とは異なる方法で筋肉内への注射チャネルを作成するので、ワクチン逆流の発生率は、注射針が軸Ｙから０°の頂角αで長手方向軸を有するように配向されている、既知の注射方法と比較して、本方法において最小化される。
【００４５】
好ましい実施形態によれば、本方法で使用されるデバイスの２本の注射針７の長手方向軸Ｉ１およびＩ２は、互いに１５°〜２５°、好ましくは２０°〜２５°の水平角βを形成する。より好ましくは、水平角βは、１８°〜２２°であり、最も好ましくは、水平角βは、おおよそまたは正確に２０°である。
【００４６】
この方法の好ましい実施形態において、本方法におけるデバイスの２本の注射針７の長手方向軸Ｉ１およびＩ２は、１５°〜４５°の頂角αを形成し、また、互いに１５°〜２５°の水平角βを形成する。記載されているように、αおよびβの両方で配向された両方の針７の長手方向軸を有するデバイスを使用して家禽（ｆｏｗｌ）に注射する方法は、特に、５°〜４５°の角度γで配向された保持支持部材面４を有するデバイスと共に使用されるときに、特に効果的であると考えられている。
【００４７】
上で記載されたように、すべての種類の家禽（ｆｏｗｌ）、特に、鶏、七面鳥、雌鶏、アヒル、ホロホロチョウ、ウズラ、ヤマウズラ、ガチョウ、ハト、またはオウムなどの家禽（ｐｏｕｌｔｒｙ）は、このようにしてワクチン接種および／または治療され得る。
【００４８】
上記の教示に照らして、本発明の多数の修正および変更が、可能である。したがって、添付の特許請求の範囲内で、本発明は、本明細書に具体的に記載されている以外の方法で実施され得ることが理解されるべきである。
【図１】
2021526904.tif 000003
【図２】
2021526904.tif 000004
【図３】
2021526904.tif 000005
【図４】
2021526904.tif 000006
【国際調査報告】
2021526904.tif 000007
2021526904.tif 000008
2021526904.tif 000009
2021526904.tif 000010
2021526904.tif 000011